(57)【要約】【課題】  ドア構造に簡単な改良を施すことで、キャビン内からドア側の車外状況をより容易かつ正確に把握をできるようにする。【解決手段】  ドア１６を、枠状のドアフレーム２１と、このドアフレーム２１に嵌め込み装備される透明のドアパネル２２とから構成してある作業車用キャビンのドア構造において、ドアパネル２２を複数枚のパネル体２２Ａ，２２Ｂから構成し、かつ、ドアフレーム２１に、所定のパネル体２２Ａをスライド開閉可能に支持するガイド溝２１ａを備えてある。【選択図】        図３
2008001203.tif 000002
【特許請求の範囲】
【請求項１】
ドアを、枠状のドアフレームと、このドアフレームに嵌め込み装備される透明のドアパネルとから構成してある作業車用キャビンのドア構造であって、
前記ドアパネルを複数枚のパネル体から構成し、かつ、前記ドアフレームに、所定のパネル体をスライド開閉可能に支持するガイド溝を備えてある作業車用キャビンのドア構造。
【請求項２】
前記パネル体を上下に備え、前記ガイド溝を、上側のパネル体を上下方向にスライド開閉可能に支持するように形成してある請求項１に記載の作業車用キャビンのドア構造。
【請求項３】
前記ドアフレームに固定装備されるパネル体にドアハンドルを備え、
前記ドアフレームにスライド開閉可能に装備されるパネル体を、そのドアハンドル側の端部における前記ドアハンドルとの対向部位に、そのドアハンドル側の端縁から反対側の端縁に向けて切り込まれた切欠部を有するように形成してある請求項１又は２に記載の作業車用キャビンのドア構造。
【発明の詳細な説明】
【技術分野】
【０００１】
本発明は、ドアを、枠状のドアフレームと、このドアフレームに嵌め込み装備される透明のドアパネルとから構成してある作業車用キャビンのドア構造に関する。
【背景技術】
【０００２】
作業車用キャビンのドア構造としては、上窓と下窓とを形成する貫通孔を備えるようにプレス成形した板金製のインナーフレーム（ドアフレーム）、及び、インナーフレームの外面側に蝶番を介して上下揺動可能に支持される上側のアウターフレーム部分と、インナーフレームの外面側に接着される下側のアウターフレーム部分とを有するように分割形成されたアクリル樹脂製の透明板からなるアウターフレーム（ドアパネル）、などによって、開閉可能な上窓と閉め切りの下窓とを備えた乗降口ドアを構成したものがある（例えば特許文献１参照）。
【０００３】
又、上部側に縦長矩形状の開口が形成された透明の樹脂板（ドアパネル）、その開口に支持枠を介して嵌め込み支持されたアルミ押出成形品からなるサッシュ、このサッシュの内側下部に固定装備した透明の固定樹脂板、及び、サッシュの外側部位に上下摺動可能に装備した透明の可動樹脂板、などによって、上下摺動式の開閉窓を備えたフレームレス構造のドアを構成したものがある（例えば非特許文献１参照）。
【特許文献１】特開２００２−０６７６９１号公報（段落番号００１４〜００１８、図１〜９）
【非特許文献１】特願２００５−２５１６４６号（段落番号００４０，００８１、図１〜９）
【発明の開示】
【発明が解決しようとする課題】
【０００４】
上記の構成によると、前者のものは、ドアに上窓と下窓とを形成することから、又、後者のものは、ドアを透明の樹脂板で構成することから、ドア側の車外状況を、キャビン内からの目視で、ドアや窓を開けることなく容易に把握することができる。
【０００５】
又、両者とも、キャビン内から窓を開けて車外を覗き込むことが可能であり、これによって、ドアを開けなくても、より広範囲のドア側の車外状況を正確に把握することができる。
【０００６】
しかしながら、前者の構成では、板金製のインナーフレームとアクリル樹脂製のアウターフレームとを備えることでドアの重量が重くなる。又、窓用の貫通孔を大きくするほどドアの強度が低下するために、上下の窓を大きく形成することが難しく、そのため、キャビン内からの目視でドア側の車外状況を把握する際には、枠状のフレームやフレームレス構造を採用したものに比較して、フレームによって遮られる部分が大きくなり、よって、キャビン内からの目視でドア側の車外状況をより把握し易くする上において改善の余地がある。
【０００７】
一方、後者の構成では、ドアに開閉窓を備える上において、樹脂板の開口に支持枠を介してサッシュを嵌め込み支持させることから、部品点数が増加することになり、その増加に起因した生産性の低下やコストの高騰を招くことになる。又、キャビン内からの目視でドア側の車外状況を把握する際には、支持枠やサッシュによって遮られる部分を有することになり、しかも、キャビン内から車外への覗き込みを行い易い位置に開閉窓を形成することで、サッシュや支持枠が、キャビン内からドア側の車外を目視する際に及ぼす悪影響の大きい視界に入り易い位置に位置することになり、よって、キャビン内からの目視でドア側の車外状況をより把握し易くする上において改善の余地がある。
【０００８】
本発明の目的は、ドア構造に簡単な改良を施すことで、キャビン内からドア側の車外状況をより容易かつ正確に把握できるようにすることにある。
【課題を解決するための手段】
【０００９】
上記の目的を達成するため、本発明のうちの請求項１に記載の発明では、ドアを、枠状のドアフレームと、このドアフレームに嵌め込み装備される透明のドアパネルとから構成してある作業車用キャビンのドア構造において、前記ドアパネルを複数枚のパネル体から構成し、かつ、前記ドアフレームに、所定のパネル体をスライド開閉可能に支持するガイド溝を備えてある。
【００１０】
この構成によると、枠状のドアフレームをスライド窓用のサッシュに、又、所定のパネル体をスライド式のウインドパネルに兼用することができ、これによって、ドアにスライド開閉式の窓を備えるようにしながらも部品点数を削減することができる。
【００１１】
又、枠状のドアフレームよりも内側の位置にサッシュやサッシュ取り付け用の支持枠などを設ける必要がないことから、キャビン内からドア側の車外を目視する際には、枠状のドアフレームやドアハンドルなどが目視の妨げになるだけであり、しかも、枠状のドアフレームは、その多くがキャビンの乗降口を形成するフレーム部分に重合するものであって、キャビン内からドア側の車外を目視する際に及ぼす悪影響が小さいものであることから、キャビン内からドア側の車外をより広い範囲で目視することができ、結果、キャビン内からの目視によるドア側の車外状況の把握をより容易かつ正確に行える。
【００１２】
しかも、枠状のドアフレームがサッシュとして機能することで、枠状のドアフレームよりも内側の位置にサッシュを設ける場合に比較して、より大きい窓を備えることができ、これによって、その窓から車外への覗き込みが行い易くなり、その窓からより広い範囲のドア側の車外を無理なく目視することができ、結果、窓からの覗き込みによるドア側の車外状況の把握をより容易かつ正確に行える。
【００１３】
従って、ドアパネルを複数枚のパネル体から構成し、ドアフレームに、所定のパネル体をスライド開閉可能に支持するガイド溝を備えるだけの簡単な改良を施すことで、部品点数の削減による軽量化あるいは生産性の向上やコストの削減などを図れる上に、キャビン内からドア側の車外状況をより容易かつ正確に把握することができるようになって、ドア側の車外状況を考慮した適正な操縦が行い易くなることから、走行性や作業性の向上を図ることができる。
【００１４】
本発明のうちの請求項２に記載の発明では、上記請求項１に記載の発明において、前記パネル体を上下に備え、前記ガイド溝を、上側のパネル体を上下方向にスライド開閉可能に支持するように形成してある。
【００１５】
この構成によると、パネル体を左右に備え、ガイド溝を、左右のパネル体を左右方向にスライド開閉可能に支持するように形成する場合に比較して、キャビン内から車外への覗き込みを行い易いドアの上部側を窓として大きく開放することができ、これによって、窓から車外への覗き込みが更に行い易くなって、より広い範囲のドア側の車外を無理なく目視することができ、結果、窓からの覗き込みによるドア側の車外状況の把握を更に容易かつ正確に行える。
【００１６】
従って、ドア側の車外状況を考慮した適正な操縦が更に行い易くなり、よって、走行性や作業性の向上を更に図ることができる。
【００１７】
本発明のうちの請求項３に記載の発明では、上記請求項１又は２に記載の発明において、前記ドアフレームに固定装備されるパネル体にドアハンドルを備え、前記ドアフレームにスライド開閉可能に装備されるパネル体を、そのドアハンドル側の端部における前記ドアハンドルとの対向部位に、そのドアハンドル側の端縁から反対側の端縁に向けて切り込まれた切欠部を有するように形成してある。
【００１８】
この構成によると、スライド開閉可能なパネル体を開操作する際には、そのパネル体におけるドアハンドル側の端部を、ドアフレームとドアハンドルとの間に入り込ませることができ、これによって、切欠部を形成しない場合に比較して、最大開放状態での開口面積をより大きくすることができ、その分、窓から車外への覗き込みが更に行い易くなって、より広い範囲のドア側の車外をよりスムーズに目視することができ、結果、窓からの覗き込みによるドア側の車外状況の把握を更に容易かつ正確に行える。
【００１９】
従って、ドア側の車外状況を考慮した適正な操縦が更に行い易くなり、よって、走行性や作業性の向上を更に図ることができる。
【発明を実施するための最良の形態】
【００２０】
図１には作業車の一例である自脱型コンバインの全体側面が示されており、このコンバインは、角パイプ材などによって枠状に形成した車体フレーム１の下部に左右一対のクローラ式走行装置２を配備し、車体フレーム１の前部に刈取搬送装置３を昇降揺動可能に連結し、車体フレーム１の左半部に脱穀装置４を搭載し、脱穀装置４の後部に排ワラ処理部５を連結し、車体フレーム１の右後部に穀粒タンク６を搭載し、穀粒タンク６にスクリュー搬送式の穀粒排出装置７を備え、車体フレーム１の右前部に原動部８を搭載するとともに搭乗運転空間を形成するキャビン９を配備して構成されている。
【００２１】
左右のクローラ式走行装置２は、搭乗運転空間に備えた変速レバー（図示せず）の操作に基づいて変速され、その駆動状態では、搭乗運転空間に備えた十字揺動式で中立復帰型の操縦レバー（図示せず）の左右方向への揺動操作に基づいて、それらが等速駆動される直進状態と、それらが差動する旋回状態とに切り換えられる。
【００２２】
刈取搬送装置３は、操縦レバーの前後方向への揺動操作に基づいて昇降し、搭乗運転空間に備えた刈取クラッチレバー（図示せず）の操作などに基づいて作動状態と停止状態とに切り換えられ、その作動状態では、車体の走行に伴って、作業対象物である刈取対象の所定条数の植立穀稈を分草して引き起こすとともに、それらの株元側を切断し、切断後の植立穀稈（刈取穀稈）を、起立姿勢から横倒れ姿勢に姿勢変更しながら後方の脱穀装置４に向けて搬送する。
【００２３】
脱穀装置４は、搭乗運転空間に備えた脱穀クラッチレバー（図示せず）の操作に基づいて作動状態と停止状態とに切り換えられ、その作動状態では、刈取搬送装置３から刈取穀稈を受け取り、その刈取穀稈の穂先側に対して脱穀処理を施しながら、後方の排ワラ処理部５に向けて搬送し、その脱穀処理で得られた処理物に対しては選別処理を施し、その選別処理によって１番物に選別された単粒化穀粒を穀粒タンク６に供給し、選別処理で２番物に選別された枝梗付き穀粒などは回収して再び脱穀処理及び選別処理を施し、３番物に選別された切れワラやワラ屑などの塵埃はそのまま車外に排出する。
【００２４】
排ワラ処理部５は、脱穀装置４と連動し、脱穀装置４からの排ワラをそのまま車体後方に搬送して車外に放出する長ワラ放出状態と、脱穀装置４からの排ワラに対して細断処理を施して車外に放出する細断放出状態とに切り換え可能に構成されている。
【００２５】
穀粒タンク６は、脱穀装置４からの単粒化穀粒を貯留する。穀粒排出装置７は、穀粒タンク６に備えた排出クラッチレバー（図示せず）の操作に基づいて作動状態と停止状態とに切り換えられ、穀粒タンク６に備えた昇降スイッチ（図示せず）の操作に基づいて排出筒７Ａが昇降し、穀粒タンク６に備えた旋回スイッチ（図示せず）の操作に基づいて排出筒７Ａが旋回し、よって、穀粒タンク６に貯留した単粒化穀粒を、トラックの荷台などの所望の排出位置に排出することができる。
【００２６】
原動部８は、車体フレーム１における穀粒タンク６の直前箇所に配備したエンジンカバー１０で形成されるエンジンルームに、水冷式のエンジン１１やラジエータ１２などを配備して構成されている。エンジンカバー１０の上部には運転座席１３が位置調節可能に装備されている。
【００２７】
キャビン９は、右側部に乗降口１４Ａを有するように枠組み形成した金属製のキャビンフレーム１４に、透明の曲面ガラスなどからなるウインドシールド１５、乗降口１４Ａを開閉する外開き式のドア１６、平面ガラスからなる固定式の右サイドウインド１７、前後一対の平面ガラスなどからなるスライド開閉式の左サイドウインド（図示せず）、平面ガラスなどからなる外開き式のリヤウインド１８、及び、ルーフ１９などを備えて構成され、エンジンカバー１０や車体フレーム１の右前端部に立設したフロントパネル２０などで支持されている。
【００２８】
乗降口１４Ａは、その上部側に対して下部側が前方寄りに偏倚した形状に形成されており、これによって、キャビン９の後下部に原動部８が位置することで狭くなる虞のある乗降口１４Ａの下部側を広く確保することができ、その分、乗降口１４Ａからの乗降が行い易くなる。
【００２９】
図１〜４に示すように、ドア１６は、枠状のドアフレーム２１に透明のドアパネル２２を嵌め込み装備して構成され、その上側の後端部が乗降口１４Ａの後端縁に上下一対のヒンジ２３を介して揺動開閉可能に連結され、キャビンフレーム１４とドアフレーム２１とにわたって架設したガススプリング２４の作用で、ドアフレーム２１が、キャビンフレーム１４のドア受面１４Ｂに、その全周にわたって付設したウェザーストリップ２５を介して密接する閉位置と、規制機構２６によって開方向への揺動が規制される全開位置とに、位置保持可能に構成されている。
【００３０】
規制機構２６は、ドアフレーム２１に前後揺動可能に装備した揺動アーム２７と、この揺動アーム２７に形成した長孔２７ａに挿通されるようにキャビンフレーム１４に立設した規制ピン２８とから構成され、ドア１６の開操作によって、揺動アーム２７の遊端側に位置する長孔２７ａの端縁が規制ピン２８に接当することで、ドア１６の開方向への揺動を規制する。
【００３１】
ドアフレーム２１は、その内周縁に２条の溝２１ａ，２１ｂが一体形成された金属製で、それらの溝２１ａ，２１ｂでドアパネル２２を支持するように構成されている。
【００３２】
ドアパネル２２は、上下２枚のパネル体２２Ａ，２２Ｂから構成され、各パネル体２２Ａ，２２Ｂには平面ガラスが採用されている。
【００３３】
上側のパネル体２２Ａは、ドアフレーム２１における外側の溝２１ａに、その溝２１ａに内装したシール部材２１Ａを介して、上下方向にスライド開閉可能に嵌め込み装備されている。つまり、ドアフレーム２１における外側の溝２１ａが、上側のパネル体２２Ａを上下方向にスライド開閉可能に支持するガイド溝として機能するように形成されている。
【００３４】
上側のパネル体２２Ａの上部には、上側のパネル体２２Ａのキャビン内側からのスライド開閉操作を可能にするとともに、ドアフレーム２１の上部に備えた被係止部２１Ｂに係合することで、このパネル体２２Ａの閉位置での固定保持を可能にするロック具として機能する操作具２９が装備されている。
【００３５】
下側のパネル体２２Ｂは、ドアフレーム２１における内側の溝２１ｂに、その溝２１ｂに内装したシール部材２１Ｃを介して嵌め込み固定され、その前部側の上下中間部に、キャビン外側からのドア１６の開閉操作を可能にするドアハンドル３０と、キャビン内側からのドア１６の開閉操作を可能にするドアハンドル３１とが備えられている。
【００３６】
上側のパネル体２２Ａは、そのドアハンドル側の端部におけるドアハンドル３０との対向部位、つまり、その下端部の前側部位に、そのドアハンドル側の端縁である下縁から反対側の端縁である上縁に向けて三角形状に切り込まれた切欠部２２ａを有するように形成されている。
【００３７】
下側のパネル体２２Ｂは、上側のパネル体２２Ａを閉位置に位置させた際に、その上縁部が上側のパネル体２２Ａの下縁部と重合するように、その上端部における前側部位に、上方に向けて突出する三角形状の突出部２２ｂを有するように形成されている。
【００３８】
下側のパネル体２２Ｂの上縁部には、上側のパネル体２２Ａとの隙間を塞ぐシール材３２が付設されている。
【００３９】
つまり、このキャビン９においては、ドア１６にスライド開閉式の右サイドウインド３３が備えられており、これによって、例えば、刈取搬送装置３の右端に位置する分草用のデバイダ３４を畦と植立穀稈との間に適切に位置させる畦際での収穫作業や、右端のデバイダ３４を植立穀稈に対する適切な位置に位置させる条合わせ作業などを行う際には、上側のパネル体２２Ａを下方に向けてスライド操作して右サイドウインド３３を全開にし、この全開の右サイドウインド３３から車体の前方を覗き込むようにすれば、植立穀稈や畦などに対する右端のデバイダ３４の位置関係を容易かつ正確に把握することができ、これによって、畦際での収穫作業や条合わせ作業などを簡単に効率良く行える。
【００４０】
又、ドア１６にスライド開閉式の右サイドウインド３３を備える上において、ドアフレーム２１がサッシュに、又、上下のパネル体２２Ａ，２２Ｂがウインドパネルにそれぞれ兼用されることになり、これによって、部品点数を削減することができ、その分、車体の軽量化、生産性の向上、及びコストの削減などを図ることができる。
【００４１】
そして、ドアフレーム２１がサッシュとして機能することで、例えばドアパネル２２にサッシュを設ける場合に比較して、より開口面積の大きい右サイドウインド３３を備えることができる。しかも、上側のパネル体２２Ａにおけるドアハンドル３０との対向部位に切欠部２２ａを形成したことで、上側のパネル体２２Ａを開操作する際には、そのパネル体２２Ａの下端部が、外側のドアハンドル３０をかわして、ドアフレーム２１と外側のドアハンドル３０との間に入り込むようになり、これによって、切欠部２２ａを形成しない場合に比較して、最大開放状態での開口面積をより大きくすることができる。その結果、右サイドウインド３３から車外への覗き込みが更に行い易くなり、その右サイドウインド３３からより広い範囲のドア側の車外を無理なく目視することができる。
【００４２】
その上、ドアフレーム２１よりも内側の位置にサッシュなどを設ける必要がないことから、キャビン内からドア側の車外を目視する際には、ドアフレーム２１やドアハンドル３０，３１などが目視の妨げになるだけであり、しかも、ドアフレーム２１は、その多くがキャビンフレーム１４のドア受面１４Ｂに重合するものであって、キャビン内からドア側の車外を目視する際に及ぼす悪影響が小さいものであることから、キャビン内からでもドア側の車外をより広い範囲で正確に目視することができ、その結果、例えば、穀粒タンク６に貯留した単粒化穀粒を畦際に停車させたトラックの荷台などに排出する穀粒排出作業を行う際の、畦に対する適切な幅寄せなどを容易に行える。
【００４３】
図１、図２及び図５〜９に示すように、エンジン１１は、その出力軸３５が左右向きになる横向き姿勢で車体フレーム１に防振搭載され、その右側部には、ベルト式の伝動機構３６を介して伝達される出力軸３５からの動力で一定方向に回転駆動される冷却ファン３７が装備され、この冷却ファン３７の右側方にラジエータ１２が立設されている。
【００４４】
エンジンカバー１０は、ラジエータ１２に対向する右側壁３８に外気取り入れ用の開口３８Ａが形成され、又、その開口３８Ａからエンジンルームへの塵埃の流入を防止する防塵網３９が装備されている。
【００４５】
図５〜９に示すように、伝動機構３６は、エンジン１１の出力軸３５と一体回転する出力プーリ４０、エンジン１１の左側部に配備した発電機４１の入力軸４２と一体回転する第１入力プーリ４３、エンジン１１の前上部に配備したウォータポンプ４４のポンプ軸４５と一体回転する第２入力プーリ４６、及び、それらの各プーリ４０，４３，４６にわたって回し掛けた伝動ベルト４７、などによって構成されている。
【００４６】
冷却ファン３７は、第２入力プーリ４６とともにポンプ軸４５に固定された回転体４８に、４本の支持ピン４９を介して、それらの支持ピン４９の長手方向に沿う方向への摺動操作が可能となるように、椀状のハブ５０を装備し、かつ、そのハブ５０の摺動操作に連動して、ハブ５０の外周部から外方に向けて放射状に延設した７枚の起風翼５１が吸気姿勢と排気姿勢とに切り換わるように、回転体４８と各起風翼５１とを連係部材５２を介して連係して構成されている。
【００４７】
各起風翼５１の吸気姿勢では、冷却ファン３７の回転駆動に伴って、防塵網側からエンジン側に向けて流れる冷却風が発生し、防塵網３９による除塵後の清浄な外気が、冷却用としてエンジン１１やラジエータ１２などに供給される。
【００４８】
各起風翼５１の排気姿勢では、冷却ファン３７の回転駆動に伴って、エンジン側から防塵網側に向けて流れる排塵風が発生し、防塵網３９に付着した塵埃が車外に吹き飛ばされて排除される。
【００４９】
つまり、冷却ファン３７は、ハブ５０の摺動操作によって、その回転に伴って防塵網側からエンジン側に向けて流れる冷却風を発生させる吸気状態と、エンジン側から防塵網側に向けて流れる排塵風を発生させる排気状態とに切り換えられるように構成されている。
【００５０】
ハブ５０は、操作機構５３の作動で、各起風翼５１が吸気姿勢に切り換わる吸気位置と、各起風翼５１が排気姿勢に切り換わる排気位置とにわたって摺動操作される。
【００５１】
操作機構５３は、エンジンカバー１０の背面に備えた電動モータ５４の作動で、ハブ５０が吸気位置と排気位置とにわたって摺動操作されるように、電動モータ５４と、ハブ５０にベアリング５５を介して取り付けたシフトフォーク５６とを、セクターギヤ５７やプッシュプルワイヤ５８などを介して操作連係し、かつ、ハブ５０を吸気位置に向けて付勢する押しバネ５９などを備えて構成されている。
【００５２】
図１０に示すように、電動モータ５４は、その作動がマイクロコンピュータなどを備えて構成された制御装置６０によって制御される。
【００５３】
制御装置６０には、エンジン１１から脱穀装置４への伝動を断続する脱穀クラッチ（図示せず）の作動状態を検出する脱穀クラッチセンサ６１の検出情報、セクターギヤ５７の揺動角度を各起風翼５１の姿勢角度として検出する回転式のポテンショメータからなる角度センサ６２の検出情報、及び、乗降口１４Ａの開閉状態を検出する開閉センサ６３の検出情報などが入力され、制御装置６０は、それらの検出情報や予め記憶した制御プログラムなどに基づいて、電動モータ５４の作動を制御して各起風翼５１の姿勢を切り換え保持することで、冷却ファン３７の作動状態を適切な状態に切り換える冷却状態切換制御を、その制御作動の一つとして実行するように構成されている。
【００５４】
その冷却状態切換制御について説明すると、制御装置６０は、常にクラッチセンサ６１からの検出情報に基づいて脱穀クラッチの作動状態を判別し、脱穀クラッチの作動状態が遮断状態である場合には、脱穀装置４が駆動されない移動走行などの非作業時に適した第１冷却制御を実行し、脱穀クラッチの作動状態が接続状態である場合には、脱穀装置４が駆動される作業時に適した第２冷却制御を実行する。
【００５５】
第１冷却制御では、角度センサ６２からの検出情報に基づいて、各起風翼５１の姿勢が吸気姿勢に切り換え保持されるように電動モータ５４の作動を制御して、脱穀クラッチの作動状態が接続状態に切り換えられるまでの間、冷却ファン３７の作動状態を吸気状態に維持する。
【００５６】
つまり、防塵網３９の目詰まりが生じ難い非作業時には、常に、防塵網３９による除塵後の清浄な外気を冷却用としてエンジン１１やラジエータ１２などに供給することから、非作業時に適した効率の良いエンジン冷却を行える。
【００５７】
一方、第２冷却制御では、角度センサ６２からの検出情報と内蔵したタイマのカウント値に基づいて、先ず、予め設定した第１設定時間（例えば３分）の間は、各起風翼５１の姿勢が吸気姿勢に切り換え保持されるように電動モータ５４の作動を制御して、冷却ファン３７の作動状態を吸気状態に維持する吸気状態維持制御を実行し、その第１設定時間の経過後は、予め設定した第２設定時間（例えば１０秒）の間、各起風翼５１の姿勢が排気姿勢に切り換え保持されるように電動モータ５４の作動を制御して、冷却ファン３７の作動状態を排気状態に維持する排気状態維持制御を実行し、以後、吸気状態維持制御と排気状態維持制御とを交互に実行する。
【００５８】
つまり、防塵網３９の目詰まりが生じ易い作業時には、防塵網３９の自動清掃を定期的に行いながら、防塵網３９による除塵後の清浄な外気を冷却用としてエンジン１１やラジエータ１２などに供給することから、防塵網３９の目詰まりに起因した冷却能力の低下を回避することのできる作業時に適した効率の良いエンジン冷却を行える。
【００５９】
ところで、第２冷却制御においては、常に開閉センサ６３からの検出情報に基づいて乗降口１４Ａの開閉状態を監視し、乗降口１４Ａの閉状態を検知している間は、上述したように、角度センサ６２からの検出情報とタイマのカウント値に基づいて、吸気状態維持制御と排気状態維持制御とを交互に実行し、乗降口１４Ａの開状態を検知すると、タイマをリセットするとともに、乗降口１４Ａの閉状態を検知するまでの間、吸気状態維持制御のみを実行し、その後、乗降口１４Ａの閉状態の検知に伴って、角度センサ６２からの検出情報とタイマのカウント値に基づいて、吸気状態維持制御と排気状態維持制御とを、その順に交互に実行する。
【００６０】
つまり、制御装置６０は、乗降口１４Ａの開状態を検知するのに伴って、冷却ファン３７の排気状態が現出されないように冷却ファン３７の作動を規制する規制手段６４として機能するように構成されており、これによって、乗降口１４Ａの開状態で冷却ファン３７の排気状態が現出されることに起因して、防塵網３９に付着した塵埃がエンジン側からの排塵風で吹き飛ばされて開状態の乗降口１４Ａからキャビン内に流入する、といった不都合が生じることを未然に回避することができ、結果、キャビン内を、防塵網３９から吹き飛ばされた塵埃が流入することのない快適な状態に維持することができる。
【００６１】
制御装置６０は、開閉センサ６３の検出に基づいて、乗降口１４Ａの閉状態を検知している間は室内灯６５を消灯させ、乗降口１４Ａの開状態を検知している間は室内灯６５を点灯させる室内灯点滅制御を、その制御作動の一つとして実行するように構成されている。
【００６２】
図２に示すように、開閉センサ６３は、乗降口１４Ａを開閉するドア１６の閉塞位置への到達に伴って押圧操作されることでオン状態に切り換わり、閉塞位置からの開操作に伴って押圧操作が解除されることでオフ状態に切り換わるオンオフスイッチで構成されている。
【００６３】
〔別実施形態〕
【００６４】
〔１〕作業車としては、普通形コンバインあるいは人参収穫機や大根収穫機などであってもよく、又、トラクタやバックホーなどであってもよい。
【００６５】
〔２〕ドア１６としては、スライド開閉式に構成したものであってもよい。
【００６６】
〔３〕ドアフレーム２１の横側面に、パネル体２２Ａをスライド開閉可能に支持するガイド溝２１ａが形成された支持部材を連結して、ガイド溝２１ａを備えるようにしてもよい。
【００６７】
〔４〕ドアパネル２２として、例えば、軽量で、透明性、耐侯性、耐衝撃性、などに優れたアクリル樹脂や、軽量で加工し易く強度などの面で優れるポリカーボネート樹脂などの樹脂板を採用してもよい。
【００６８】
〔５〕ドアパネル２２を、３枚以上のパネル体２２Ａ，２２Ｂで構成するようにしてもよく、又、パネル体２２Ａ，２２Ｂが左右方向にスライド開閉可能となるようにドアフレーム２１に嵌め込み装備してもよい。
【００６９】
〔６〕スライド開閉可能なパネル体２２Ａにおける切欠部２２ａの形成位置は、固定のパネル体２２Ｂに備えるドアハンドル３０，３１の位置に応じて種々の変更が可能であり、例えば、パネル体２２Ａ，２２Ｂを上下に備えるものにおいて、固定のパネル体２２Ｂにおける後部側の位置にドアハンドル３０，３１を備える場合には、スライド開閉可能なパネル体２２Ａにおけるドアハンドル３０，３１に対向する後部側の位置に切欠部２２ａを形成すればよい。
【００７０】
〔７〕スライド開閉可能なパネル体２２Ａに形成する切欠部２２ａの形状としては種々の変更が可能であり、例えば、パネル体２２Ａに矩形状や円弧状の切欠部２２ａを切り込み形成するようにしてもよい。又、スライド開閉可能なパネル体２２Ａに切欠部２２ａを形成しないようにしてもよい。
【図面の簡単な説明】
【００７１】
【図１】自脱型コンバインの全体側面図
【図２】乗降口の開閉構造を示す要部の一部切り欠き平面図
【図３】ドアの構成を示す要部の側面図
【図４】図３のＩＶ−ＩＶ断面図
【図５】冷却構造を示す要部の一部切り欠き背面図
【図６】冷却構造を示す要部の縦断側面図
【図７】冷却ファンの構成を示す要部の縦断背面図
【図８】冷却ファンの吸気状態と排気状態とを示す要部の縦断背面図
【図９】冷却ファンの吸気状態と排気状態とを示す要部の横断平面図
【図１０】制御構成を示すブロック図
【符号の説明】
【００７２】
１６    ドア
２１    ドアフレーム
２１ａ  ガイド溝
２２    ドアパネル
２２Ａ  パネル体
２２Ｂ  パネル体
２２ａ  切欠部
３０    ドアハンドル
【図１】
2008001203.tif 000003
【図２】
2008001203.tif 000004
【図３】
2008001203.tif 000005
【図４】
2008001203.tif 000006
【図５】
2008001203.tif 000007
【図６】
2008001203.tif 000008
【図７】
2008001203.tif 000009
【図８】
2008001203.tif 000010
【図９】
2008001203.tif 000011
【図１０】
2008001203.tif 000012